(57)【要約】【課題】  本体に露出して設けられた接続端子部に対する防塵効果の大きい電子機器を提供することを目的とする。【解決手段】  本体に露出して設けられた接続用端子部の上方に延在して配されたベルト状の防塵膜４と、防塵膜４の両端が装架される本体に設けられた回転体５ａ、５ｂと、回転体５ａ、５ｂを回転させて防塵膜４を接続端子部２の上方で移動させる駆動手段であるモータ６と、装架された防塵膜４の端において防塵膜４の上方の塵埃を集塵する集塵装置７とを備えてなる。【選択図】    図１
2005317307.tif 000002
【特許請求の範囲】
【請求項１】
本体に露出して設けられた接続用端子部の上方に延在して配されたベルト状の防塵膜と、前記防塵膜の両端が装架される本体に設けられた回転体と、前記回転体を回転させて前記防塵膜を前記接続端子部の上方で移動させる駆動手段と、装架された前記防塵膜の端において該防塵膜上の塵埃を集塵する集塵手段とを備えてなることを特徴とする電子機器。
【請求項２】
本体に露出して設けられた接続用端子部の上方に延在して配されたベルト状の防塵膜と、前記防塵膜の両端が装架される本体に設けられた回転体と、前記回転体を回転させて前記防塵膜を前記接続端子部の上方で移動させる駆動手段とを備えてなることを特徴とする電子機器。
【請求項３】
本体に露出して設けられた接続用端子部の上方に延在して配され粘着面を有するベルト状の防塵膜と、前記防塵膜の両端が装架される本体に設けられた回転体と、前記回転体を回転させて前記防塵膜を前記接続端子部の上方で移動させる駆動手段とを備えてなることを特徴とする電子機器。
【発明の詳細な説明】
【技術分野】
【０００１】
本発明は、本体に露出して設けられた接続用端子部を有する電子機器に関し、特に、アンテナ入力、ＡＶ出力、通信等のための接続用端子部が塵埃によって影響を受けないようにしたものに関するものである。
【背景技術】
【０００２】
従来、例えば、下記の特許文献１で示すように、電子機器の筐体に設けたケーブル接続部にカバーを取り付けた技術が開示されている。これはカバーによってケーブル接続部を覆い、ファンの排気によるカバー内部の気圧を外気の気圧より高くする。そして、空気がカバーの外部から直接カバー内部に流れることがないようにしている。そのため、カバー内部には塵埃が混入しないので、ケーブル接続部に対する防塵効果をもたらすものである。カバーはつめを有し、筐体にはつめの取り付け穴が設けられ、カバーを筐体に取り付けるようになっている。
【特許文献１】特開平６−１１１５５２号公報（段落〔０００４〕、段落〔００２１〕〜段落〔００２９  〕、段落〔００４０〕）
【発明の開示】
【発明が解決しようとする課題】
【０００３】
しかしながら、前記特許文献1で示すような従来技術にあっては、長期間の使用においてカバーの表面に塵埃が多量に付着してしまう。そのため、防塵効果が低下し、カバー内に塵埃が侵入しやすくなってしまうという問題点があった。
【０００４】
そこで、本発明は、このような従来の問題点を除去した接続端子部に対する防塵効果の大きい電子機器を提供することを目的とする。
【課題を解決するための手段】
【０００５】
上記課題を解決するために、本願の請求項１に係る電子機器の発明は、本体に露出して設けられた接続用端子部の上方に延在して配されたベルト状の防塵膜と、前記防塵膜の両端が装架される本体に設けられた回転体と、前記回転体を回転させて前記防塵膜を前記接続端子部の上方で移動させる駆動手段（例えば、モータ６）と、装架された前記防塵膜の端において該防塵膜上の塵埃を集塵する集塵手段とを備えてなることを特徴とする。
【０００６】
また、本願の請求項２に係る電子機器の発明は、本体に露出して設けられた接続用端子部の上方に延在して配されたベルト状の防塵膜と、前記防塵膜の両端が装架される本体に設けられた回転体と、前記回転体を回転させて前記防塵膜を前記接続端子部の上方で移動させる駆動手段（例えば、モータ６）とを備えてなることを特徴とする。
【０００７】
また、本願の請求項３に係る電子機器の発明は、本体に露出して設けられた接続用端子部の上方に延在して配され粘着面を有するベルト状の防塵膜と、前記防塵膜の両端が装架される本体に設けられた回転体と、前記回転体を回転させて前記防塵膜を前記接続端子部の上方で移動させる駆動手段（例えば、モータ１１）とを備えてなることを特徴とする。
【発明の効果】
【０００８】
本願の請求項１に係る本発明の電子機器においては、本体に露出して設けられた接続用端子部の上方に防塵膜が位置するので、塵埃は防塵膜に付着して接続用端子部に到ることが少なくなる。そして、防塵膜は駆動手段により必要に応じて塵埃の付着していない新しい面を接続用端子部の上方に位置させることができる。しかも、防塵膜に付着した塵埃は集塵手段によって除去される。そのため、接続用端子部が表面のきれいな防塵膜によって塵埃の影響を受けることがなく、常に良好な接続状態を保つことができる電子機器を提供できる。
【０００９】
また、本願の請求項２に係る本発明の電子機器においては、本体に露出して設けられた接続用端子部の上方に防塵膜が位置するので、塵埃は防塵膜に付着して接続用端子部に到ることが少なくなる。しかも、防塵膜は駆動手段により必要に応じて塵埃の付着していない新しい面を接続用端子部の上方に位置させることができる。そのため、長期間の使用であっても防塵効果が良好であり、接続用端子部が常に塵埃の影響を受けず良好な接続状態を保つことができる電子機器を提供できる。
【００１０】
また、本願の請求項３に係る本発明の電子機器においては、防塵膜の表面が粘着性を有するので付着した塵埃が離脱せず、結果的に防塵効果を増大させる。しかも、防塵膜は駆動手段により必要に応じて塵埃の付着していない新しい面を接続用端子部の上方に位置させることができる。そのため、接続用端子部が常に塵埃の影響を確実に受けず、常に良好な接続状態を長期間に亘って保つことができる電子機器を提供できる。
【発明を実施するための最良の形態】
【００１１】
本発明を実施するための最良の形態としては、以下に説明する実施例である。
【実施例１】
【００１２】
本発明の実施例１を図１、図２及び図３によって説明する。図１は本発明の実施例１における電子機器の背面を示す説明図、図２は本発明の実施例１における電子機器の背部を平面的に示す説明図、図３は本発明の実施例１における電子機器の集塵装置部分を示す斜視図である。
【００１３】
図１〜図３において、１は受信装置、増幅装置等の電子機器、２は電子機器１の本体の背面に露出して設けられた接続端子部である。接続端子部２にはアンテナ入力、ＡＶ出力、通信等ケーブル３を接続するための複数のコネクタ、ターミナル端子が配されている。４は接続端子部２の上方を含め周辺に延在して配された防塵膜であり、エンドレスベルトからなっている。この防塵膜４の両端は電子機器１に回転自在に設けられた回転体５ａ，５ｂに装架されている。回転体５ａはモータ６によって回転されるようになっている。モータ６は操作部（図示せず）の操作によって作動するものである。７は集塵装置であって、ケース７１と開口部７２に設けられたブラッシ７３及びブラッシ７３によって拭き取られた塵埃を収容する収容部７４とから形成されている。ケース７１は回転体５ｂを覆うように電子機器１に着脱自在に設けられている。そして、開口部７２を介してケース７１内に防塵膜３が出入りするようになっており、更に、防塵膜４の表面がブラッシ７３に習接するようになっている。ケース７１の電子機器１本体への着脱機構はプラグイン式の取り付け機構８と磁石９とによって形成されている。
【００１４】
次に、上述した本発明の実施例１の構成による電子機器の動作を説明する。接続端子部２にケーブル３を接続した状態において、接続端子部２の上方に防塵膜４を延在させる。接続端子部２の上方に防塵膜４があることにより、上方からの塵埃が防塵膜4の表面に付着して接続端子部２に侵入することを防止する。防塵膜４に付着した塵埃は、モータ６による回転体５ａの回転により防塵膜４を矢印Ａで示す方向に移動させることにより集塵装置７で取り除かれる。具体的には、防塵膜４の表面がブラッシ７３に摺接することにより取り除かれる。そして、取り除かれた塵埃は収容部７４内に収められる。その結果、きれいになった防塵膜４の表面が再び接続端子２の上方に位置して防塵を行なう。収容部７４内にたまった塵埃は、ケース７１を電子機器１から取り外してその中の塵埃を廃棄する。そして、再びケース７１を電気機器１に取り付けれる。
【００１５】
ケーブル３を接続端子４に接続したりはずしたりする作業は、頻繁におこなわれない。しかし、この作業の際には防塵膜４が邪魔になる可能性がある。このときは、防塵膜４を回転体４ａ、４ｂから取り外せばよい。
【００１６】
上述した実施例１によれば、接続端子部２の上方に防塵膜４が位置しているので、上方から落下してくる塵埃が接続端子部２に侵入することを防止する。そして、防塵膜４に付着した塵埃は集塵装置７で取り除かれ、接続端子部２の上方に延在する防塵膜４の表面は常にきれいになっている。そのため、防塵膜４の表面に多量に付着した塵埃がはがれ落ちて接続端子部２に侵入することがない。特に、ケーブル３が接続されていないコネクタ等は、長期間の経過後にその内部まで塵埃が侵入してしまい電気的な接触不良、錆の発生等の不具合を発生させるが、常に表面がきれいな防塵膜４がこの不具合を解消する。
【実施例２】
【００１７】
次に、図４によって本発明の実施例２について説明する。図４は電子機器の背面を示す説明図である。１０は表面が粘着性のある面に加工したベルト状の防塵膜である。そして、防塵膜１０は両端を回転体５ａ、５ｂに係止し、回転体５ａを供給側、回転体５ｂを巻き取り側とし、矢印Ｂで示す方向に移動させる。この移動は回転体５ｂにモータ１１を連結して行なう構成をとる。このモータ１１の作動は操作部（図示せず）の操作によって行なわれる。
【００１８】
上述した本発明の実施例2の構成による電子機器の動作について説明する。接続端子部２にケーブル３を接続した状態において、その上方に防塵膜１０を延在させる。接続端子部２の上方に防塵膜１０があることにより、上方からの塵埃が防塵膜１０の表面に付着して接続端子部２に侵入することを防止する。しかも、この防塵膜10の表面は粘着性を有しているので、一旦付着した塵埃がはがれることがない。一方、防塵膜１０に多量に塵埃が積もった場合は、操作部の操作によってモータ１１を作動させ、回転体５ｂを回転させて防塵膜１０を矢印Ｂ方向に移動させる。そして、汚れていない新しい面を接続端子２上に延在させる。供給側の回転体５ａの防塵膜１０が全てなくなったら新しく補充すればよい。供給側の防塵膜10がなくなったことは、端を回転体５ａに係止しておくことによりモータ１１の付加の増大を検知して報知することにおって行なうことができる。また、端の透明なリーダ部分を光学的に検知して終端に至ったことを検知し報知するようにしてもよい。
【００１９】
上述した実施例２によれば、接続端子部２の上方に防塵膜１０が位置しているので、上方から落下してくる塵埃が接続端子部２に侵入することを防止する。そして、防塵膜１０に付着した塵埃は粘着性の表面に付着するので、防塵膜１０の表面に多量に付着した塵埃がはがれ落ちて接続端子部４に侵入することがない。また、必要に応じてきれいな面の防塵膜１０を接続端子部４の上方に延在させ効果的な防塵を行なうことができる。そのため、特に、ケーブル３が接続されていないコネクタ等は、長期間の経過後にその内部まで塵埃が侵入してしまい電気的な接触不良、錆の発生等の不具合を発生させるが、常に表面がきれいな防塵膜４がこの不具合を解消する。
【００２０】
尚、上述した本発明の実施例１においては、モータ６をタイマーによって予め設定した時間経過ごとに自動的に作動させ、防塵膜４を移動させて付着した塵埃をブラッシ７３で拭き取って収容部７４に集塵させると同時に、接続端子部２の上方にきれいになった防塵膜４を位置させるようにしてもよい。
【００２１】
尚また、上述した本発明の実施例１においては、防塵膜４の表面は付着した塵埃がブラッシ７３によって容易に取り除ける滑らかな面とし、裏面の回転体５ａ、５ｂに接する面は摩擦係数の大きいように加工することが望ましい。
【００２２】
尚また、上述した本発明２においては、モータ１１をタイマーによって予め設定した時間経過ごとに自動的に作動させて定期的に防塵膜１０を移動し、接続端子部２の上方にきれいになった防塵膜４を常に位置させるようにしてもよい。
【図面の簡単な説明】
【００２３】
【図１】図１は、本発明の実施例１における電子機器の背面を示す説明図である。
【図２】図２は、本発明の実施例１における電子機器の背部を平面的に示す説明図である。
【図３】図３は、本発明の実施例１における電子機器の集塵装置部分を示す斜視図である。
【図４】図４は、本発明の実施例２における電子機器の背面を示す説明図である。
【符号の説明】
【００２４】
１                電子機器
２                接続端子部
３                ケーブル
４                防塵膜
５ａ、５ｂ        回転体
６                モータ
７                集塵装置
８                取り付け機構
９                磁石
１０              防塵膜
１１              モータ
７１              ケース
７２              開口部
７３              ブラッシ
７４              収容部
【図１】
2005317307.tif 000003
【図２】
2005317307.tif 000004
【図３】
2005317307.tif 000005
【図４】
2005317307.tif 000006